(57)【要約】  【課題】  例えば引出し等の可動体をベースに対して、引き込む操作及び引き出す操作の両方向のスライド操作を補助することができるようにしたものである。  【解決手段】  ベース６及び可動体８の一方に設けられて、可動体８と同方向へスライド可能な複数のスライダー２、及び各スライダー２にそれぞれ組み込まれたロック部材３、並びに各スライダー２同士を接続するよう設けられて可動体８の各スライド過程で付勢力を蓄積可能となるばね部材４を有したユニット本体１Ｃと、ベース６及び可動体８の他方に設けられて、対応するスライダー２側のロック部材３を、可動体８と当該スライダー２とを作動連結したロック位置から作動連結を解放するロック解除位置へ変位させ、それにより可動体８をばね部材４の付勢力で途中位置から一方のスライド位置と他方のスライド位置とへそれぞれスライド可能にする作動部材５とを備える。  【選択図】  図１
2006026332.tif 000002
【特許請求の範囲】
【請求項１】
ベースに対しスライド可能に取り付けられた可動体を一方のスライド位置から他方のスライド位置へスライドさせる一方向のスライド操作及び他方のスライド位置から一方のスライド位置へスライドさせる他方向のスライド操作を助けるスライド補助装置において、
前記ベース及び前記可動体の一方に設けられて、前記可動体と同方向へスライド可能な複数のスライダー、
及び前記各スライダーにそれぞれ組み込まれたロック部材、
並びに前記各スライダー同士を接続するよう設けられて前記可動体の他方のスライド位置から一方のスライド位置方向、一方のスライド位置から他方のスライド位置方向への各スライド過程で付勢力を蓄積可能となるばね部材を有したユニット本体と、
前記ベース及び前記可動体の他方に設けられて、前記可動体を他方のスライド位置から途中位置までスライドさせたとき、及び前記可動体を一方のスライド位置から途中位置までスライドさせたときに、前記対応するスライダー側のロック部材を、前記可動体と当該スライダーとを作動連結したロック位置から前記作動連結を解放するロック解除位置へ変位させ、それにより前記可動体を前記ばね部材の付勢力で途中位置から一方のスライド位置と他方のスライド位置とへそれぞれスライド可能にする作動部材とを備えていることを特徴とするスライド補助装置。
【請求項２】
請求項１に記載のスライド補助装置であって、
前記可動体は、前後方向にスライドし、
前記一方のスライド位置が、引込位置で、
前記他方のスライド位置が、引出位置であることを特徴とするスライド補助装置。
【請求項３】
請求項１に記載のスライド補助装置であって、
前記可動体は、左右方向にスライドし、
前記一方のスライド位置が、開位置で、
前記他方のスライド位置が、閉位置であることを特徴とするスライド補助装置。
【請求項４】
請求項１に記載のスライド補助装置であって、
前記可動体は、上下方向にスライドし、
前記一方のスライド位置が、上昇位置で、
前記他方のスライド位置が、下降であることを特徴とするスライド補助装置。
【請求項５】
請求項２に記載のスライド補助装置であって、
前記ベースは、
家具の収納部であり、
前記可動体は、
前記収納部に引き出し可能に取り付けられた引出しであることを特徴とするスライド補助装置。
【請求項６】
請求項２に記載のスライド補助装置であって、
前記ベースは、
家具であり、
前記可動体は、
前記収納部に引き出し可能に取り付けられたスライドテーブルであることを特徴とするスライド補助装置。
【請求項７】
請求項５又は請求項６に記載のスライド補助装置であって、
前記家具は、
システムキッチンであることを特徴とするスライド補助装置。
【請求項８】
請求項５又は請求項６に記載のスライド補助装置であって、
前記家具は、
パソコンデスクであることを特徴とするスライド補助装置。
【請求項９】
請求項５又は請求項６に記載のスライド補助装置であって、
前記家具は、
タンスであることを特徴とするスライド補助装置。
【請求項１０】
請求項３に記載のスライド補助装置であって、
前記可動体は、
建物の雨戸であることを特徴とするスライド補助装置。
【請求項１１】
請求項３又は請求項４に記載のスライド補助装置であって、
前記可動体は、
建物のシャッターであることを特徴とするスライド補助装置。
【請求項１２】
請求項３又は請求項４に記載のスライド補助装置であって、
前記可動体は、
建物の窓であることを特徴とするスライド補助装置。
【請求項１３】
請求項３に記載のスライド補助装置であって、
前記可動体は、
クロゼットの折り戸であることを特徴とするスライド補助装置。
【請求項１４】
請求項３に記載のスライド補助装置であって、
前記可動体は、
建物（内外）の引き戸であることを特徴とするスライド補助装置。
【請求項１５】
請求項３に記載のスライド補助装置であって、
前記可動体は、
浴室扉であることを特徴とするスライド補助装置。
【請求項１６】
請求項３に記載のスライド補助装置であって、
前記可動体は、
カーテンであることを特徴とするスライド補助装置。
【請求項１７】
請求項４に記載のスライド補助装置であって、
前記可動体は、
ブラインドであることを特徴とするスライド補助装置。
【請求項１８】
請求項３に記載のスライド補助装置であって、
前記可動体は、
可動式間仕切りであることを特徴とするスライド補助装置。
【請求項１９】
請求項２に記載のスライド補助装置であって、
前記可動体は、
冷蔵庫の引出しであることを特徴とするスライド補助装置。
【請求項２０】
請求項３又は請求項４に記載のスライド補助装置であって、
前記可動体は、
冷蔵庫の中ケースのスライド扉であることを特徴とするスライド補助装置。
【請求項２１】
請求項２に記載のスライド補助装置であって、
前記可動体は、
冷蔵庫の中ケースの引出しであることを特徴とするスライド補助装置。
【請求項２２】
請求項２に記載のスライド補助装置であって、
前記可動体は、
情報家電の給紙引出しであることを特徴とするスライド補助装置。
【請求項２３】
請求項２に記載のスライド補助装置であって、
前記可動体は、
事務机の引出しであることを特徴とするスライド補助装置。
【請求項２４】
請求項３又は請求項４に記載のスライド補助装置であって、
前記可動体は、
ムービング・ラックであることを特徴とするスライド補助装置。
【請求項２５】
請求項２に記載のスライド補助装置であって、
前記可動体は、
事務用のキャビネットの引出しであることを特徴とするスライド補助装置。
【請求項２６】
請求項３に記載のスライド補助装置であって、
前記可動体は、
自動車のスライドドアであることを特徴とするスライド補助装置。
【請求項２７】
請求項２に記載のスライド補助装置であって、
前記可動体は、
自動車のスライド式の灰皿であることを特徴とするスライド補助装置。
【請求項２８】
請求項２に記載のスライド補助装置であって、
前記可動体は、
自動車のスライド式のカップホルダーであることを特徴とするスライド補助装置。
【請求項２９】
請求項２に記載のスライド補助装置であって、
前記可動体は、
自動車のコンソールのスライド式のリッドであることを特徴とするスライド補助装置。
【請求項３０】
請求項２又は請求項３に記載のスライド補助装置であって、
前記可動体は、
陳列用冷蔵庫のスライド扉であることを特徴とするスライド補助装置。
【請求項３１】
請求項２に記載のスライド補助装置であって、
前記可動体は、
レジスターの引出しであることを特徴とするスライド補助装置。
【発明の詳細な説明】
【技術分野】
【０００１】
本発明は、例えば引出し等の可動体をベースに対して、引き込む操作及び引き出す操作の両方向のスライド操作を助けるスライド補助装置に関する。
【背景技術】
【０００２】
可動体をベースに対し引込位置と引出位置とにスライド切り換える構造では、特許文献１に例示されるように、引込方向へスライドしたり引出方向へスライドする全ての切換操作を手動により行うと疲れたり高級感に欠けるため、可動体を引出位置又は引込位置の何れかの方向へ付勢しておき、該付勢された方向へ自動的にスライドされるよう処理される。
【０００３】
図１０は特許文献１の引出し用装置を示し、（ａ）は図示しない可動体の引込位置、（ｂ）は引出位置での状態図である。符号５０はベースの側壁、符号５５は可動体側の駆動ピン、符号６０はベース側壁と可動体との間に配置された傾斜部分、符号６５はばね部材である。ベース側壁５０には案内トラック５１が設けられている。該案内トラック５１は、前後方向へ水平に延びる真っ直ぐな部分５１ａと、前方（図の右側）の弓形部分５１ｂとで構成されている。傾斜部分６０は、上解放したスロット６１及びスロット６１の前側から延びている斜めの側壁６２を有し、ボルト６３，６３を案内トラック５１に嵌合している。ばね部材６５は、ベース側に一端を係止し、他端を傾斜部分６０に係止した状態で、可動体が引込位置から引出位置方向へスライドされる過程で付勢力を蓄積する。そして、この構造では、可動体がベース側に対し駆動ピン５５をスロット６１に嵌合した状態で組み込まれる。可動体が引込位置から引出位置へスライドされるときは、傾斜部分６０が案内トラック５１の真っ直ぐな部分５１ａに沿って動かされた後、弓形部分５１ｂで前方へ傾斜され、かつ駆動ピン５５がスロット６１から斜めの側壁６２に動く。これにより、可動体は、ばね部材６５の付勢力に抗して引出位置に係止つまりロックされると共に、後方へ押されることで駆動ピン５５を斜めの壁部６２からスロット６１に戻した後、ばね部材６５に蓄積された付勢力で引き込まれる。なお、特許文献１では、可動体がばね部材６５の付勢力で引込位置へスライドされるようにして、可動体が強く引き込まれたときにバウンドして再び引き出される虞を解消している。
【特許文献１】特公平５-０２３７６３号公報
【発明の開示】
【発明が解決しようとする課題】
【０００４】
上記した従来構造では、例えば、可動体が引出位置から引込位置へはほぼ全て自動でスライドされるが、その分だけ引込位置から引出位置へは強い引き操作力が必要となり使い勝手が悪くなる。また、可動体をばね部材６５の付勢力に抗して係止するロック機構として、駆動ピン５５を傾斜部材６０の前傾斜によりスロット６１から抜け出るようにし、斜めの側壁６２に係合するため、係合力が弱く、振動等によってロック解除される虞がある。傾斜部材６０に設けられたスロット６１の開口は、可動体（駆動ピン５５）の引出操作時にばね部材６５の付勢力蓄積に伴って大きな負荷を受けるため駆動ピン５５とのロック代を大きくしたいが、傾斜部材６０の前傾斜に伴う駆動ピン５５の係合解除も損なわないようにしなければならないため制約される。また、従来構造では、可動体を引込位置方向へスライドする場合と、引出位置方向へスライドする場合との両方の操作を補助する機能を有しておらず、作動特性的に制約されている。
【０００５】
本発明の目的は、以上のような課題を解消して、例えば、比較的簡易な構成により用途に応じた色々な使い方を可能にし、適用される装置の使い勝手や高級感を向上することに
ある。
【課題を解決するための手段】
【０００６】
請求項１の発明は、図１〜図３の形態を特定したもので、ベースに対しスライド可能に取り付けられた可動体を一方のスライド位置から他方のスライド位置（引込位置）へスライドさせる一方向のスライド操作（引き込む操作）及び他方のスライド位置（引込位置）から一方のスライド位置へスライドさせる他方向のスライド操作（引き出す操作）を助けるスライド補助装置において、前記ベース及び前記可動体の一方に設けられて、前記可動体と同方向へスライド可能な複数のスライダー、及び前記各スライダーにそれぞれ組み込まれたロック部材、並びに前記各スライダー同士を接続するよう設けられて前記可動体の他方のスライド位置（引込位置）から一方のスライド位置方向、一方のスライド位置から他方のスライド位置（引込位置）方向への各スライド過程で付勢力を蓄積可能となるばね部材を有したユニット本体と、前記ベース及び前記可動体の他方に設けられて、前記可動体を他方のスライド位置（引込位置）から途中位置までスライドさせた（引き出した）とき、及び前記可動体を一方のスライド位置から途中位置までスライドさせた（引き込んだ）ときに、前記対応するスライダー側のロック部材を、前記可動体と当該スライダーとを作動連結したロック位置から前記作動連結を解放するロック解除位置へ変位させ、それにより前記可動体を前記ばね部材の付勢力で途中位置から一方のスライド位置と他方のスライド位置（引込位置）とへそれぞれスライド可能にする作動部材とを備えていことを特徴としている。
【発明の効果】
【０００７】
本発明のスライド補助装置は次のような利点を有している。
請求項１の発明では、ユニット本体及び作動部材により、可動体を他方のスライド位置（引込位置）から一方のスライド位置へ切り換える過程、及び可動体を一方のスライド位置から他方のスライド位置（引込位置）へ切り換える過程、つまり各途中位置からばね部材の付勢力により自動的に最終の一方のスライド位置と最終の他方のスライド位置（引込位置）へそれぞれスライドでき、その点から使い勝手を向上できる。具体的には、単一のユニット構成により両方向のスライド操作（引き込む操作及び引き出す操作）の両補助機能を達成できるため、組込性及びメンテナンス性に優れ、設置スペース上の制約を受け難い点などで有利となる。
【発明を実施するための最良の形態】
【０００８】
（図面の説明）
本発明の最良な形態を図面の実施例を参照しながら説明する。図面において、図１〜図４は第１実施例を示し、図１はスライド補助装置をケースを断面して示す模式構成図、図２は図１の装置作動を示す模式作動図、図３は図２と同様に図１の装置作動を示す模式作動図、図４図１の可動体とベースの関係などを示す参考図をそれぞれ示すものである。
【０００９】
図５〜６は、第２実施例を示し、図５は窓の正面図、図６は図５の窓の断面図をそれぞれ示すものである。
図７〜８は、第３実施例を示し、図７は折り戸の断面図、図８は図７の折り戸を閉じた状態の断面図をそれぞれ示すものである。
図９は、第４実施例を示し、同図はカーテンの正面図を示すものである。
（各発明装置の用途例）
本発明のスライド補助装置は、説明を省略するが、引出専用のユニット本体１Ａ、引込専用のユニット本体１Ｂ、引出・引込兼用のユニット本体１Ｃの何れかと、作動部材５とから構成されて、ベースに対し可動体を引込位置と引出位置とにスライド切り換える操作を補助するものである。図４はベース及び可動体の一例を示している。このベース６は、前面開口した空間部７を多段に形成している収納装置である。可動体８は、内側に着脱可
能に取り付けられる引出し９を有し、ベース６の対応する空間部７に対して引込位置と引出位置とにスライド切り換えられるよう組み付けられる。この例では、可動体８に対し引出専用のユニット本体１Ａ、引込専用のユニット本体１Ｂ、引出・引込兼用のユニット本体１Ｃの何れかが付設され、各空間部７に対し前記ユニット本体と対応して作動部材５が付設される。
（スライド補助装置）
図１のスライド補助装置は、引出・引込兼用のユニット本体１Ｃが可動体８の底面側に付設され、作動部材５がベース側空間部７の内底面側に付設されている。ユニット本体１Ｃは、可動体８と同方向へそれぞれスライド可能な２つのスライダー２，２と、各スライダー２に組み込まれて可動体８のスライド方向と略直交する方向へ揺動変位可能なロック部材３，３と、可動体８のスライド過程で付勢力を蓄積可能となるばね部材４とで構成され、これらがケース１０Ｃに組み込まれている。
（ケース１０Ｃ）
ケース１０Ｃは、図１のごとく可動体８のスライド方向に長く、かつ偏平な矩形容器状となっている。長手方向に対向している両側壁のうち、一方側壁部は前後略中間より後側が縦壁１６に相当する分だけ張り出している。また、両側壁には、図１のごとく長溝１１が前後方向の略中間位置から後端まで形成されている。内底面には、前後略中間にダンパー配置用の略円状区画リブ１７と、後側から前後略中間付近まで延びている前後リブ１８ａ，１８ｂが設けられている。区画リブ１７の内側にはダンパー３５が配置される。なお、区画リブ１７は、ダンパー収容部を形成し、一部が段差部分となっている。該ダンパー収容部は、第１実施例と同様に機能し、ダンパー３５のベース３６をベース側歯や突起及びリブ１７側の段差部分を介して一方向だけに回転可能にする。形状的には、図１の形状に限られず、例えば、区画リブ１７を略９０度回転させた様な形状に設計されることもある。また、２本の前後リブ１８ａ，１８ｂは後壁から縦壁１６の付近まで延び、リブ同士の前側が接続されている。前後リブ１８ａの先端側には段差状の規制部１９ａが設けられている。前後リブ１８ｂの後端側には同じく段差状の規制部１９ｂが設けられている。各規制部１９ａ，１９ｂは、ロック部材３をその縦壁で係止するものである。以上のケース１０Ｃは、対のスライダー２及びロック部材３並びにばね部材４を組み込んだ後、可動体８の底面に止めねじ等により取り付けられる。
【００１０】
ここで、ダンパー３５は、図３（ａ）のごとく逆時計回りに回動するときは空転し、図３（ｃ）のごとく時計回りに回動するときにはギア３７を介し相手側部材（スライダー２）を制動する。また、この構造では、ベース３６が外周の歯を介して一方向に空転されるようになっていて、可動体８が後述するばね部材４の付勢力によりスライドされるときだけ制動する構成である。
（スライダー２）
各スライダー２，２は、ラック２４を形成している長片部２０と、長片部２０の後端に設けられてロック部材３を支持する保持部２２とを有している。また、一方スライダー２（図１の下側、実際は可動体８の一側に配置されるスライダー２）には、ばね用の掛止部２５が保持部２２に設けられている。他方スライダー２（図１の上側、実際は可動体８の他側に配置されるスライダー２）には、長片部２０の前端を略Ｌ形に折り曲げた先端屈曲部２６、及び該先端屈曲部２６の先内側面に突出された段差状の取付片部２７が設けられている。そして、スライダー２，２同士は、互いのラック２４が対向するようケース１０Ｃ内に配置される。また、ダンパー３５は、ギア３７が各スライダーのラック２４，２４同士の間に配置されるよう付設されると共に、両ラック２４，２４のうち、片側のラックと噛み合っている。
（ロック部材３）
ロック部材３は、保持部２２の内部分２２ｂに対し両弾性片３０を介して弾性的に当接し、かつ突当部３１を孔２３から外へ突出した状態に配置される。従って、このロック部材３も、保持部２２に対しスライダー２のスライド方向と直交する方向に配置され、両弾性片３０の弾性変位を伴って移動可能となっている。通常は、図１のごとく、一方スライダー２のロック部材３がその頭部３２を前後リブ１８ｂ側面に軽く接しているロック解除位置に配置され、他方スライダー２のロック部材３がその頭部３２を前後リブ１８ａの段差状の規制部１９ａ、つまりロック位置（可動体と対応するスライダーとを作動連結した位置）に配置されている。
（ばね部材４）
ばね部材４は、スプール４１に巻回されているばね板４２をハウジング４０から引き出す定圧ばねであり、他方スライダー２の段差状の取付片部２７に取り付けられている。そして、ばね部材４は、ばね板４２の引出端が一方スライダー２の保持部２２に設けられた掛止部２５に係止される。
（作動部材５）
これに対し、作動部材５は、個数はスライダー２ないしはロック部材３と同じ数つまり２つ用いられている。そして、各作動部材５は、第１カム部４７により、図２と図３の各（ｂ）のごとく対応するロック部材３をロック解除位置（可動体と対応するスライダーとの作動連結を解放する位置）からロック位置へ切換可能にする。第２カム部４８は、図２と図３の各（ｃ）のごとく対応するロック部材３をロック位置からロック解除位置へ切換可能にする。
（作動）
図２及び図３はスライド補助装置を用いたときの主作動を示している。
・図２（ａ）は、可動体８が図１のごとくベース側空間部７に収まっている引込位置から手動で引き出している引出途中の状態である。この過程では、ユニット本体１Ｃを構成している複数のスライダー２のうち、一方のスライダー２（図の下側に配置されているスライダー２、以下、同じ）のロック部材３がロック解除位置、他方のスライダー２（図の上側に配置されているスライダー、以下、同じ）のロック部材３がロック位置にある。そして、可動体８は、ダンパー３５を空転しながら引き出されると共に、一方のスライダー２がロック部材３と作動部材５とを介して位置規制されているため、ばね部材４が可動体８のスライドに伴って付勢力を次第に増大し蓄積する。
・図２（ｂ）は、可動体８が更に引き出されて、一方スライダー２のロック部材３が作動部材５によりロック位置へ切り換えられた直後の状態である。この過程では、一方スライダー２のロック部材３が突当部３１を第１カム部４７のカム面に当接し、該カム面のカム作用により突当部３１を規制部１９ｂの方向へスライドする結果、同図のロック位置へ揺動変位される。
・図２（ｃ）は、可動体８が更に引き出されて、他方スライダー２のロック部材３が作動部材５によりロック解除位置へ切り換えられた直後の状態を示している。この過程では、当該ロック部材３が突当部３１を作動部材５の第２カム部４８のカム面に当接し、該カム面のカム作用により突当部３１をスライドする結果、長片部４５側つまりロック解除方向へ変位される。
・図２（ｄ）は、他方スライダー２のロック部材３がロック解除位置（可動体８とスライダー２との作動連結を解放する位置）に切り換えられることにより、可動体８が対応作動部材５で位置規制された当該スライダー２に対しばね部材４の付勢力により自動的に最終の引出位置までスライドされた状態である。なお、この構造では、（ｃ）〜（ｄ）に至る間、ダンパー３５が他方スライダー２のラック２４とギア３７との噛み合いを介して可動体８のスライド速度を制動する。この結果、可動体８は、途中位置から最終の引出位置まだ適度な速度でスライドされることになる。
・図３（ａ）は、可動体８を図２（ｄ）の引出位置から途中位置まで引き込め操作したときの状態を示している。この引き込め過程では、初期段階において、他方スライダー２がロック部材３と作動部材５とを介して位置規制されているため、ばね部材４が可動体８のスライドに伴って付勢力を次第に増大するよう蓄積する。そして、他方スライダー２のロック部材３が同図のごとく前後リブ１８ａから規制部１９ａに達した段階で、突当部３１を第１カム部４７のカム面に当接し、該カム面のカム作用により当該ロック部材３が規制
部１９ａの方向つまりロック位置へ揺動変位される。
・図３（ｂ）は他方スライダー２のロック部材３がロック位置に切り換えられた状態を示している。この状態では、各スライダー２のロック部材３が共にロック位置にあるため、可動体８と各スライダー２とは一体的ものとして引き込み方向へスライドされる。
・図３（ｃ）は、可動体８が途中位置まで引き込め操作されて、一方スライダー２のロック部材３がロック解除位置に切り換えられた状態を示している。すなわち、この引き込め過程において、一方スライダー２のロック部材３は、前記（ｂ）のごとく対応作動部材５の第１カム部４７上を通り過ぎたとき、突当部３１が作動部材５の第２カム部４８に当接し、該カム面のカム作用により当該ロック部材３を同図の下側、つまり作動部材５の長片部４５側へスライドし、それによりロック解除位置に切り換えられる。
・図３（ｄ）は、そのようにして、一方スライダー２のロック部材３がロック解除位置に切り換えられることにより、可動体８が対応作動部材５で位置規制された一方スライダー２に対しばね部材４の付勢力により自動的に最終の引込位置までスライドされた状態を示している。なお、この構造では、（ｃ）〜（ｄ）に至る間、ダンパー３５がラック２４とギア３７との噛み合いを介して可動体８のスライド速度を制動する。この結果、可動体８は、途中位置から最終の引込位置まで適度な速度でスライドされることになる。
（変形例）
本第１実施例は、ユニット本体１Ｃをベース６（例えば、空間部７の内底面）に付設し、作動部材５を可動体８に付設してもよい。その変形例では、図２の部材関係があたかも同図の紙面裏から見たような関係となる。
【００１１】
また、本発明は、本第１実施例及び変形例に何ら制約されるものではなく、ダンパー３５は、一方向の回転時だけ制動する構成として、ベース３６がダンパー収容部に対し形状設定により回転方向を規制するようにして簡略化を図ったが、このタイプ以外であっても差し支えない。また、ばね部材４は、定圧ばねの例を挙げたが、コイルスプリングや他の付勢構造でもよい。
（前後のスライドタイプの例）
引出し９のように、前後方向にスライドする前後のスライドタイプの例としては、次のようなものがある。
【００１２】
（１）家具の引出しや引出し式のスライドテーブル
ベース６は、図示しないが、家具の収納部でも良く、このとき、可動体８は収納部に引き出し可能に取り付けられた引出しやスライドテーブルとなる。
（２）システムキッチンの引出しや引出し式のスライドテーブル
家具は、図示しないが、システムキッチンでも良く、このとき、可動体８はシステムキッチンの収納部に引き出し可能に取り付けられた引出しやスライドテーブルとなる。
【００１３】
（３）パソコンデスクの引出し、引出し式のスライドテーブル、キーボードテーブル
家具は、図示しないが、パソコンデスクでも良く、このとき、可動体８はパソコンデスクに引き出し可能に取り付けられた引出し、スライドテーブル、キーボードテーブルとなる。
【００１４】
（４）タンスの引出しや引出し式のスライドテーブル
家具は、図示しないが、タンスでも良く、このとき、可動体８はタンスに引き出し可能に取り付けられた引出しやスライドテーブルとなる。
（５）家電製品の引出し
ベース６は、図示しないが、家電製品の収納部でも良く、このとき、可動体８は収納部に引き出し可能に取り付けられた引出しとなる。
【００１５】
（６）冷蔵庫の引出し
家電製品は、図示しないが、冷蔵庫でも良く、このとき、可動体８は冷蔵庫の引出しとなる。
なお、冷蔵庫は、冷凍庫を含む概念として使用している。
（７）冷蔵庫（冷凍庫も含む。）の中ケースの引出し
可動体８は、図示しないが、冷蔵庫内の中ケースの引出しでもよい。
【００１６】
（８）情報家電（例えばコピー機、ＦＡＸ機、コピー機、複合機）の給紙トレー
家電製品は、図示しないが、例えばコピー機、ＦＡＸ機、コピー機、複合機の情報家電でも良く、このとき、可動体８は給紙トレーとなる。
（９）事務机の引出し
ベース６は、図示しないが、事務机でも良く、このとき、可動体８は事務机の引出しとなる。
【００１７】
（１０）キャビネットの引出し
ベース６は、図示しないが、事務用のキャビネットでも良く、このとき、可動体８はキャビネットの引出しとなる。
（１１）自動車の引出し式の灰皿
ベース６は、図示しないが、車内の灰皿の収納部でも良く、このとき、可動体８は収納部に引き出し可能に取り付けられた引出し式の灰皿となる。
【００１８】
（１２）自動車の引出し式のカップホルダー
ベース６は、図示しないが、車内の灰皿の収納部でも良く、このとき、可動体８は収納部に引き出し可能に取り付けられた引出し式のカップホルダーとなる。
（１３）自動車のコンソールの引出し式のコンソール・リッド
ベース６は、図示しないが、車内の例えばセンターコンソール等のコンソールでも良く、このとき、可動体８はコンソールに引き出し可能に取り付けられた引き出し式のコンソール・リッドとなる。
【００１９】
（１４）レジスターの引出し（ドロアー）
ベース６は、図示しないが、レジスターでも良く、このとき、可動体８はレジスターの引出し（ドロアー）となる。
（１５）その他
（１５−１）家具の引出しや引出し式のスライドテーブル
（１５−２）食器戸棚（カップ・ボード）の引出しや引出し式のスライドテーブル
（１５−３）ライティング・デスク、学習机、事務机、パソコンデスク等の各種のデスクの引出し、引出し式のスライドテーブル、引出し式のキーボードテーブル
（１５−４）冷蔵庫（冷凍庫）の引出し式の給水タンク
（１５−５）冷蔵庫（冷凍庫）の引出し式の製氷器や製氷庫
（図５〜６の窓７０）
つぎに、図５〜６を用いて、可動体８の一例としての窓７０について説明する。
【００２０】
左右の窓７０は、ベース６である窓枠７１に引き違い可能に支持される。
左右の窓７０には、ユニット本体１Ｃをそれぞれ付設する。
すなわち、各窓７０の上下の上面又は底面のいずれか少なくとも一方には、ユニット本体１Ｃを固定する。
これに対し、窓枠７１の上下の框には、図示しないが、ユニット本体１Ｃのロック部材３に係合する作動部材５を固定する。
【００２１】
左右の窓７０を閉じると、その途中でロック部材３が作動部材５に係合することで、ばね部材４の蓄積されたばね復元力により、左右の窓７０が確実に閉じる。
これに対し、左右の窓７０を開くと、その途中でロック部材３が作動部材５に係合することで、ばね部材４の蓄積されたばね復元力により、左右の窓７０が確実に開く。
（図７〜８の折り戸８０）
つぎに、図７〜８を用いて、可動体８の一例としての折り戸８０について説明する。
【００２２】
左右の折り戸８０の左右の両端部は、ベース６であるクロゼット８１に左右方向にスライド可能に支持される。
各折り戸８０は、外側扉８２と中央扉８３の２枚の扉から構成され、外側扉８２と中央扉８３とはヒンジ８４を介してＶ字状に折り畳まれる。
クロゼット８１の上下には、図示しないが、スライドレールが固定され、上下のスライドレールに、外側扉８２と中央扉８３との左右に離れた側の端部が、それぞれスライド可能に支持される。
【００２３】
左右の折り戸８０には、ユニット本体１Ｃをそれぞれ付設する。
すなわち、各折り戸８０の上下の上面又は底面のいずれか少なくとも一方には、ユニット本体１Ｃを固定する。
これに対し、クロゼット８１の上下の框には、図示しないが、ユニット本体１Ｃのロック部材３に係合する作動部材５を固定する。
【００２４】
左右の折り戸８０を閉じると、その途中でロック部材３が作動部材５に係合することで、ばね部材４の蓄積されたばね復元力により、左右の折り戸８０が確実に閉じる。
これに対し、左右の折り戸８０を開くと、その途中でロック部材３が作動部材５に係合することで、ばね部材４の蓄積されたばね復元力により、左右の折り戸８０が確実に開く。
（図９のカーテン９０）
つぎに、図９を用いて、可動体８の一例としてのカーテン９０について説明する。
【００２５】
上框９１には、ベース６であるカーテンレール９２を固定する。
そして、カーテンレール９２には、図示しないが、カーテンランナーを介して、カーテン９０を吊り下げる。
カーテン９０には、ランナーを利用してユニット本体１Ｃを付設する。
これに対し、上框には、図示しないが、ユニット本体１Ｃのロック部材３に係合する作動部材５を固定する。
【００２６】
カーテン９０を閉じると、その途中でロック部材３が作動部材５に係合することで、ばね部材４の蓄積されたばね復元力により、カーテン９０が確実に閉じる。
これに対し、カーテン９０を開くと、その途中でロック部材３が作動部材５に係合することで、ばね部材４の蓄積されたばね復元力により、カーテン９０が確実に開く。
（左右のスライドタイプの例）
窓７０、折り戸８０、カーテン９０のように、左右方向にスライドする左右のスライドタイプの例としては、次のようなものがある。
【００２７】
（１）雨戸
可動体８は、図示しないが、建物の雨戸であってもよい。
（２）シャッター
可動体８は、図示しないが、建物のシャッターであってもよい。
（３）引き戸
可動体８は、図示しないが、建物（内外）の引き戸であってもよい。
【００２８】
（４）浴室扉
可動体８は、図示しないが、浴室扉であってもよい。
（５）可動式間仕切り
可動体８は、図示しないが、可動式間仕切りであってもよい。
（６）冷蔵庫の中ケースのスライド扉
可動体８は、図示しないが、冷蔵庫の中ケースのスライド扉であってもよい。
【００２９】
なお、冷蔵庫は、冷凍庫を含む概念として使用している。
（７）ムービングラック
可動体８は、左右にスライドするムービングラックであってもよい。
（８）自動車のスライドドア
可動体８は、図示しないが、自動車のスライドドアであってもよい。
【００３０】
（９）陳列用冷蔵庫のスライド扉
可動体８は、図示しないが、陳列用冷蔵庫のスライド扉であってもよい。
なお、陳列用冷蔵庫は、冷凍庫を含む概念として使用している。
（１０）その他
（１０−１）食器戸棚（カップ・ボード）のスライド式の開閉扉
（１０−２）下駄箱のスライド式の開閉扉
（１０−３）書籍棚のスライド式の開閉扉
（１０−４）電車、汽車、船舶、航空機等の乗り物のスライド式のドア
（上下のスライドタイプの例）
可動体８は、図示しないが、左右方向に限られず、上下方向にスライドさせ、一方のスライド位置を上昇位置とし、他方のスライド位置を下降としてもよい。
【００３１】
上下方向にスライドする上下のスライドタイプの例としては、次のようなものがある。
（１）昇降式のシャッター
可動体８は、図示しないが、建物の昇降式のシャッターでもよい。
（２）昇降式の窓
可動体８は、図示しないが、建物の昇降式の窓でもよい。
【００３２】
（３）昇降式のブラインド
可動体８は、図示しないが、昇降式のブラインドでもよい。
（４）昇降式のムービング・ラック
可動体８は、図示しないが、昇降式のムービング・ラックでもよい。
【図面の簡単な説明】
【００３３】
【図１】第１実施例のスライド補助装置をケースを断面して示す模式構成図である。
【図２】図１の装置作動を示す模式作動図である。
【図３】図２と同様に図１の装置作動を示す模式作動図である。
【図４】第１実施例の可動体とベースの関係などを示す参考図である。
【図５】第２実施例を示し、同図は窓の正面図である。
【図６】図５の断面図である。
【図７】第３実施例を示し、同図は折り戸の断面図である
【図８】図７の折り戸を閉じた状態を示す断面図である。
【図９】第４実施例を示し、同図はカーテンの正面図である。
【図１０】従来の問題を説明するための参考図である。
【符号の説明】
【００３４】
１Ａ〜１Ｃ  ユニット本体（１０Ｃはケース、１９ａ，１９ｂは規制部）
２  スライダー（２０はベース、２２は保持部、１３は孔）
３  ロック部材（３０は弾性片、３１は突当部、３２は頭部）
４  ばね部材（４０はハウジング、４１はスプール、４２はばね板）
５  作動部材（４７は第１カム部、４８は第２カム部）
６  ベース（７は空間部）
８  可動体（９は引出し）
１７  区画リブ（ダンパー収容部）
３５  ダンパー（３６はベース、３７はギア）
７０  窓
７１  窓枠
８０  折り戸
８１  クロゼット
８２  外側扉
８３  中央扉
８４  ヒンジ
９０  カーテン
９１  上框
９２  カーテンレール
【図１】
2006026332.tif 000003
【図２】
2006026332.tif 000004
【図３】
2006026332.tif 000005
【図４】
2006026332.tif 000006
【図５】
2006026332.tif 000007
【図６】
2006026332.tif 000008
【図７】
2006026332.tif 000009
【図８】
2006026332.tif 000010
【図９】
2006026332.tif 000011
【図１０】
2006026332.tif 000012